(57)【要約】【課題】プラットホームドアを安定的かつ簡易に盛土式プラットホーム上に設置することが可能なプラットホームドア固定構造及びプラットホームドア固定方法を提供することを目的とする。【解決手段】プラットホームドア固定構造は、盛土で形成された盛土式プラットホーム３０の盛土３２の上面に設置され、一側にプラットホームドア２０が載置されるコンクリート版２と、盛土３２の内部へ貫入されてコンクリート版２と接続されるボルト部４と、貫入されたボルト部４の周囲に注入されるグラウト５とを有し、盛土３２に対してコンクリート版２を固定するロックボルト３とを備える。【選択図】図２
2014062407.tif 000002
【特許請求の範囲】
【請求項１】
盛土で形成された盛土式プラットホームの前記盛土上面に設置され、一側にプラットホームドア装置が載置されるコンクリート製の板状部材と、
前記盛土内部へ貫入されて前記板状部材と接続される棒状部材と、貫入された前記棒状部材の周囲に注入されるグラウトとを有し、前記盛土に対して前記板状部材を固定する支持部と、
を備えるプラットホームドア固定構造。
【請求項２】
盛土で形成された盛土式プラットホームの前記盛土上面に設置され、一側にプラットホームドア装置が載置されるコンクリート製の板状部材と、
前記盛土内部に設置されて前記板状部材と接続され、前記盛土に対して前記板状部材を固定するブロック部材と、
を備えるプラットホームドア固定構造。
【請求項３】
前記板状部材の前記プラットホーム延在方向の長さは、前記プラットホームドア装置の閉状態の扉部と前記扉部を支持する本体部を合わせた長さよりも短く、前記本体部が前記板状部材の一端部に載置される請求項１に記載のプラットホームドア固定構造。
【請求項４】
前記板状部材の側面に沿って、前記プラットホームドア装置と接続される電気ケーブルが敷設される請求項１又は２に記載のプラットホームドア固定構造。
【請求項５】
前記板状部材の上面に設置される点字タイルの裏面に沿って、前記プラットホームドア装置と接続される電気ケーブルが敷設される請求項１又は２に記載のプラットホームドア固定構造。
【請求項６】
前記板状部材に形成され、前記点字タイルの裏面側に形成される凹状の溝内部に、前記電気ケーブルが内部に敷設されるダクトが設置される請求項４に記載のプラットホームドア固定構造。
【請求項７】
盛土で形成された盛土式プラットホームの上面にコンクリート製の板状部材を設置するステップと、
前記盛土内部へ棒状部材を貫入するステップと、
貫入された前記棒状部材の周囲にグラウトを注入するステップと、
前記棒状部材を前記板状部材と接続するステップと、
前記板状部材の一側にプラットホームドア装置を載置するステップと、
を含むプラットホームドア固定方法。
【請求項８】
盛土で形成された盛土式プラットホームの内部にブロック部材を設置するステップと、
前記ブロック部材の上面にコンクリート製の板状部材を設置するステップと、
前記ブロック部材を前記板状部材と接続するステップと、
前記板状部材の一側にプラットホームドア装置を載置するステップと、
を含むプラットホームドア固定方法。
【発明の詳細な説明】
【技術分野】
【０００１】
本発明は、プラットホーム上にプラットホームドアを固定するプラットホームドア固定構造及びプラットホームドア固定方法に関するものである。
【背景技術】
【０００２】
プラットホームに設置されるプラットホームドアは、乗客の転落などを防止するため、既存のプラットホームに新設されることが望まれる。一方で、既存のプラットホームには、土砂等からなる盛土部分の端部を、石又はコンクリート製ブロックで抑える構造を有する盛土式プラットホームや、鉄骨とコンクリート版からなる桁式プラットホームなどがある。
特許文献１には、盛土式プラットホームを桁式ホーム化する際の仮ホーム構造に関する技術が開示されている。
【先行技術文献】
【特許文献】
【０００３】
【特許文献１】特開２０１１−１９６０９４号公報
【発明の概要】
【発明が解決しようとする課題】
【０００４】
プラットホームドアを既存のプラットホームに設置するためには、プラットホームがプラットホームドアの荷重に耐えられることや、プラットホームドアに接続される電気ケーブルを敷設するダクトを設けることが要求される。また、プラットホームドア設置工事は、列車が運行していない深夜の僅かな時間帯に限られるため、工期が長期化する傾向にある。
【０００５】
盛土式プラットホームの場合、荷重に耐えられる構造に改良したり、電気ケーブル用ダクトを敷設したりするため、桁式プラットホームに変更してもよいが、盛土部分の除去や鉄骨構造の新設等に時間がかかる。また、盛土式プラットホームから桁式プラットホームへの変更工事中は、長期間、仮設ホームとなる。
【０００６】
また、桁式プラットホームへ変更しないで、盛土部分端部の石又はコンクリート製ブロックを活用する場合でも、盛土部分を補強したり、電気ケーブル用ダクトを敷設する空間を形成したりするため、桁式プラットホームに比べて工期が長期化すると共にコストも割高になることが予想される。
【０００７】
本発明は、このような事情に鑑みてなされたものであって、プラットホームドアを安定的かつ簡易に盛土式プラットホーム上に設置することが可能なプラットホームドア固定構造及びプラットホームドア固定方法を提供することを目的とする。
【課題を解決するための手段】
【０００８】
上記課題を解決するために、本発明のプラットホームドア固定構造及びプラットホームドア固定方法は以下の手段を採用する。
すなわち、本発明に係るプラットホームドア固定構造は、盛土で形成された盛土式プラットホームの前記盛土上面に設置され、一側にプラットホームドア装置が載置されるコンクリート製の板状部材と、前記盛土内部へ貫入されて前記板状部材と接続される棒状部材と、貫入された前記棒状部材の周囲に注入されるグラウトとを有し、前記盛土に対して前記板状部材を固定する支持部とを備える。
【０００９】
この発明によれば、盛土式プラットホームの盛土上面にコンクリート製の板状部材が設置され、板状部材は、プラットホームの盛土内部へ貫入された棒状部材と接続され、かつ、貫入された棒状部材の周囲にグラウトが注入されることによって、盛土に対して固定される。プラットホームドア装置は、盛土に対して固定された板状部材に載置されることから、プラットホーム上に安定的に据え付けられる。
また、板状部材は、プラットホームの盛土を多量に除去することなく盛土上面に固定されるため、プラットホームドア装置を簡易に据え付けることができる。
【００１０】
また、本発明に係るプラットホームドア固定構造は、盛土で形成された盛土式プラットホームの前記盛土上面に設置され、一側にプラットホームドア装置が載置されるコンクリート製の板状部材と、前記盛土内部に設置されて前記板状部材と接続され、前記盛土に対して前記板状部材を固定するブロック部材とを備える。
【００１１】
この発明によれば、盛土式プラットホームの盛土上面にコンクリート製の板状部材が設置され、板状部材は、プラットホームの盛土内部に設置されたブロック部材と接続されることによって、盛土に対して固定される。プラットホームドア装置は、盛土に対して固定された板状部材に載置されることから、プラットホーム上に安定的に据え付けられる。
また、板状部材やブロック部材は、プラットホームの盛土を多量に除去することなく盛土上面や盛土内部に固定されるため、プラットホームドア装置を簡易に据え付けることができる。
【００１２】
上記発明において、前記板状部材の前記プラットホーム延在方向の長さは、前記プラットホームドア装置の閉状態の扉部と前記扉部を支持する本体部を合わせた長さよりも短く、前記本体部が前記板状部材の一端部に載置されてもよい。
【００１３】
この発明によれば、板状部材のプラットホーム延在方向の長さは、プラットホームドア装置の載置に必要となる長さのみである。したがって、盛土式プラットホームを改装して、プラットホームの盛土上面に板状部材を設置する際、プラットホームの盛土上面全てを除去することなく、必要部分のみを除去すればよいため、プラットホームドア装置の固定にかかる手間を低減できる。
【００１４】
上記発明において、前記板状部材の側面に沿って、前記プラットホームドア装置と接続される電気ケーブルが敷設されてもよい。
【００１５】
この発明によれば、プラットホームドア装置と接続される電気ケーブル、例えば電源ケーブル、信号ケーブル等が、板状部材の側面に沿って敷設されることから、板状部材の下面側に別途配線用ダクト等を設置しなくてもよい。板状部材の下面側に配線用ダクトを設置しようとすると、盛土を除去する必要があるが、本発明では盛土の除去が不要になり、簡易に電気ケーブルを敷設できる。
【００１６】
上記発明において、前記板状部材の上面に設置される点字タイルの裏面に沿って、前記プラットホームドア装置と接続される電気ケーブルが敷設されてもよい。
【００１７】
この発明によれば、プラットホームドア装置と接続される電気ケーブル、例えば電源ケーブル、信号ケーブル等が、板状部材の上面に設置される点字タイルの裏面に沿って敷設されることから、電気ケーブルの敷設工事やプラットホームドアシステムのメンテナンス作業の際に、線路上やプラットホーム下へ降りる必要が無く、作業が容易になり、安全性が向上する。
【００１８】
上記発明において、前記板状部材に形成され、前記点字タイルの裏面側に形成される凹状の溝内部に、前記電気ケーブルが内部に敷設されるダクトが設置されてもよい。
【００１９】
この発明によれば、板状部材にて、凹状の溝が、点字タイルよりも下方、かつ点字タイルの裏面側に形成され、溝内部にダクトが設けられる。そして、ダクトには、内部に電気ケーブルが敷設される。よって、点字タイルがダクト上に設置されることから、電気ケーブルはダクトによって保護される。
【００２０】
また、本発明に係るプラットホームドア固定方法は、盛土で形成された盛土式プラットホームの上面にコンクリート製の板状部材を設置するステップと、前記盛土内部へ棒状部材を貫入するステップと、貫入された前記棒状部材の周囲にグラウトを注入するステップと、前記棒状部材を前記板状部材と接続するステップと、前記板状部材の一側にプラットホームドア装置を載置するステップとを含む。
【００２１】
また、本発明に係るプラットホームドア固定方法は、盛土で形成された盛土式プラットホームの内部にブロック部材を設置するステップと、前記ブロック部材の上面にコンクリート製の板状部材を設置するステップと、前記ブロック部材を前記板状部材と接続するステップと、前記板状部材の一側にプラットホームドア装置を載置するステップとを含む。
【発明の効果】
【００２２】
本発明によれば、プラットホームドアが載置される板状部材が、棒状部材とグラウトを有する支持部によって固定されるため、プラットホームドアを安定的かつ簡易に盛土式プラットホーム上に設置することができる。
【図面の簡単な説明】
【００２３】
【図１】本発明の第１実施形態に係るプラットホームドア固定構造を示す平面図である。
【図２】本発明の第１実施形態に係るプラットホームドア固定構造を示す縦断面図である。
【図３】本発明の第１実施形態に係るプラットホームドア固定構造を示す平面図である。
【図４】本発明の第１実施形態に係るプラットホームドア固定構造のコンクリート版を示す部分拡大縦断面図である。
【図５】図３のV-V線で切断した断面図である。
【図６】本発明の第２実施形態に係るプラットホームドア固定構造を示す縦断面図である。
【図７】本発明の第２実施形態に係るプラットホームドア固定構造を示す平面図である。
【発明を実施するための形態】
【００２４】
［第１実施形態］
以下に、本発明の第１実施形態に係るプラットホームドア固定構造１について、図面を参照して説明する。
本実施形態に係るプラットホームドア固定構造１は、プラットホームドア２０を盛土式プラットホーム３０に固定する。
プラットホームドア２０は、扉部２２と、扉部２２を支持する戸袋部２１を備える。プラットホームドア２０は、プラットホーム３０上にプラットホーム３０の延在方向に沿って複数台設置され、プラットホーム３０からの乗客の転落などを防止する。また、プラットホームドア２０には、戸袋部２１内部に収容されたモータ（図示せず。）や制御盤（図示せず。）に電気的に接続される電気ケーブル４０（図２及び図４参照）が接続される。
【００２５】
プラットホームドア２０は、例えば腰高式であり、設置面から天板上端まで約1.3m〜1.4mの高さを有する。扉部２２は、電力によって駆動するモータ、モータによって動作するベルト等の伝動機構によって、戸袋部２１に対して出入する。
【００２６】
電気ケーブル４０は、例えば電源ケーブル、信号ケーブル等である。電源ケーブルは、プラットホームドア２０外部の電源と接続され、例えばモータや制御盤等へ電力を供給する。また、信号ケーブルは、例えば制御盤と外部の制御盤とを結び、信号ケーブルによって扉部２２の開閉に関する制御信号等が送受信される。
【００２７】
電気ケーブル４０は、図２及び図４に示すように、配線用ダクト８の内部に敷設される。配線用ダクト８は、プラットホームドア２０の延在方向に沿って設けられる。配線用ダクト８は、電気ケーブル４０を収容する収容部８Ａと、収容部８Ａを覆う蓋部８Ｂを有する。蓋部８Ｂの上面には、点字タイル１２（視覚障がい者誘導用タイル）が貼られる。点字タイル１２は、例えば、図４に示すように、例えば厚さ約2mmのプレート部と、プレート部から突設された高さ約5mmの複数の突起部を有する。
【００２８】
プラットホームドア２０の設置に伴って、点字タイル１２と電気ケーブル４０の両方を敷設する必要がある。本実施形態のように点字タイル１２の下側に配線用ダクト８を設置することで、電気ケーブル４０の敷設が、点字タイル１２の敷設と共にプラットホーム３０上の作業で完了する。そのため、プラットホーム下の退避スペースに線路側から配線用ダクトや電気ケーブルを敷設する場合に比べて、設置作業が容易になり工期を短縮化できる。
【００２９】
プラットホームドア固定構造１は、プラットホーム３０の盛土３２の上面に設置される板状のコンクリート版２と、コンクリート版２と接続され、盛土３２の内部に定着されるロックボルト３を備える。
【００３０】
コンクリート版２は、平面視した形状が長方形のプレキャストコンクリート版であり、内部に強度に応じた鉄筋が配置される。コンクリート版２の一側では、ロックボルト３が接続される。ロックボルト３は、コンクリート版２を貫通して盛土３２の内部へ貫入される。コンクリート版２の他側には、プラットホームドア２０の戸袋部２１が載置される。戸袋部２１は、接着系アンカー６（例えば、ケミカルアンカー）によってコンクリート版２に固定される。
【００３１】
コンクリート版２の強度は、コンクリート版２にプラットホームドア２０が載置されたときのプラットホームドア２０にかかる群集横荷重、列車通過風荷重や台風荷重などを考慮して決定される。コンクリート版２の上面には、点字タイル１２を設置するための段差部２Ａが形成される。
【００３２】
ロックボルト３は、図２に示すように、盛土３２の内部に貫入されるボルト部４と、ボルト部４の周囲に注入されるグラウト５を有する。ロックボルト３によって、コンクリート版２は、プラットホーム３０の盛土３２に対して固定される。なお、図１及び図３では、ロックボルト３が１本のみ設置される例を示しているが、複数本のロックボルト３が設置されてもよい。これにより、コンクリート版２の盛土に対する固定を一層確実にし、コンクリート版２の面内の回転を確実に抑制できる。
【００３３】
ボルト部４は、中空の筒状部材であり、筒状部材の壁面に貫通孔（図示せず。）が形成される。ボルト部４は、盛土３２内部へ貫入された後、上端部からグラウト５が注入される。注入されたグラウト５は、上述したボルト部４の貫通孔を通過して、盛土３２とボルト部４間の隙間に充填される。グラウト５が硬化すると、ボルト部４とグラウト５が一体化する。そして、ボルト部４の上端部は、コンクリート版２に金具（ナット等）を用いて固定される。なお、ボルト部４は、筒状部材に限られず、異形棒鋼、ネジ節棒鋼などアンカー工のうちロックボルト工に使用される鋼材でもよい。
【００３４】
ロックボルト３の強度や盛土３２中の定着長さは、コンクリート版２に作用するモーメントによって、コンクリート版２に発生する引き抜き力を考慮して決定される。なお、定着長さは、盛土３２が有する摩擦抵抗力によっても変化する。ロックボルト３は、引き抜き力に対して抵抗することができ、コンクリート版２がプラットホームドア２０に作用する群集横荷重によって線路側に転倒することを防止する。
【００３５】
次に、本実施形態に係るコンクリート版２を用いたプラットホームドア２０の電気ケーブル４０の配線方法について説明する。電気ケーブル４０は、図２及び図４に示すように、コンクリート版２の上面において、点字タイル１２と共に設置される場合について説明したが、本実施形態は別の方法で電気ケーブル４０を配線してもよい。
【００３６】
例えば、電気ケーブル４０は、図３及び図５に示すように、配線用ダクト１０内部に敷設されてもよい。配線用ダクト１０は、コンクリート版２の側面に沿って、例えば、プラットホーム３０の延設方向に沿う第１の方向と、第１の方向に対して直交する第２の方向に設置される。これにより、電気ケーブル４０は、配線用ダクト１０によって、線路側と反対側でプラットホーム３０の延設方向に沿って敷設され、さらに、プラットホームドア２０に向かって敷設される。そして、電気ケーブル４０は、コンクリート版２に予め形成された溝２Ｃ内に配線されて、プラットホームドア２０と接続される。配線用ダクト１０の深さは、電気ケーブル４０の太さや設置する電気ケーブル４０の本数によるが、図５に示すように、コンクリート版２の厚さよりも浅くてもよい。これにより、プラットホームドア２０と接続される電気ケーブル４０の敷設工事を簡単かつ迅速に行うことができる。
【００３７】
また、電気ケーブル４０は、図２に示すように、配線用ダクト７内部に敷設されてもよい。配線用ダクト７は、コンクリート版２の下面に沿って、例えば、プラットホーム３０の延設方向に沿う方向に設置される。これにより、電気ケーブル４０は、配線用ダクト７によって、コンクリート版２の下面側でプラットホーム３０の延設方向に沿って敷設され、さらに、プラットホームドア２０に立ち上がって敷設される。そして、電気ケーブル４０は、コンクリート版２に予め形成された貫通孔（図示せず。）内に配線されて、プラットホームドア２０と接続される。コンクリート版２の下面側に長尺状の配線用ダクト７が敷設されることによって、断続的に配置される複数のコンクリート版２を同一水平面に設置しやすくなる。配線用ダクト７は、プラットホーム３０のうち盛土３２の端部に設けられているブロック３３を取り外した後、プラットホーム３０の延設方向に沿って敷設される。
【００３８】
次に、本実施形態に係るプラットホームドア固定構造１を用いたプラットホームドア２０の設置方法について説明する。
【００３９】
既存の盛土式プラットホーム３０にプラットホームドア２０を設置する場合、まず、コンクリート版２を設置する部分の境界について、プラットホーム３０の上面から床材３１にカッターによって切り込みを入れる。切り込みを入れる位置は、図３に示した目地１１や配線用ダクト１０を設ける部分を考慮してコンクリート版２よりも十数ｍｍ程度、外側とする。
【００４０】
そして、コンクリート版２の厚さと、コンクリート版２の下面に敷設する均しコンクリートやモルタルの厚さを考慮して、プラットホーム３０の上面のうちコンクリート版２を設置する部分の床材３１や盛土３２を除去する。次に、プラットホーム３０の床材３１や盛土３２を除去した部分に、均しコンクリートやモルタルを施した後、コンクリート版２を設置する。
【００４１】
その後、予め決められた定着長さとなるように、ロックボルト３のボルト部４を、コンクリート版２の上面側からプラットホーム３０の盛土３２の内部に貫入し、ボルト部４の端部からグラウト５を注入する。これにより、ロックボルト３が盛土３２に設置される。また、ロックボルト３の地上側の上端部とコンクリート版２とを接続する。次に、既存のプラットホーム３０の上面と新たに設置したコンクリート版２との間の隙間に目地材を施し目地１１を形成する。以上より、コンクリート版２がプラットホーム３０の盛土３２に対して固定される。
【００４２】
そして、プラットホームドア２０の戸袋部２１をコンクリート版２の上面に設置し、接着系アンカー６等によって、戸袋部２１をコンクリート版２に対して固定する。これにより、プラットホームドア２０の設置が完了する。コンクリート版２は、既存のプラットホーム３０の上面の床材３１や盛土３２が切り欠かれた部分に設置され、既存の床材３１や目地１１によって拘束されるため、コンクリート版２の面内方向の回転が発生しない。
【００４３】
以上、本実施形態によれば、盛土式プラットホーム３０の盛土３２の上面にコンクリート版２が設置される。コンクリート版２は、プラットホーム３０の盛土３２の内部へ貫入されたロックボルト３と接続され、かつ、貫入されたロックボルト３のボルト部４の周囲にグラウト５が注入され硬化することによって、盛土３２に対して固定される。プラットホームドア２０は、盛土３２に対して確実に固定されたコンクリート版２に載置されることから、プラットホーム３０上に安定的に据え付けられる。
【００４４】
また、コンクリート版２は、プラットホーム３０の盛土３２を大規模に除去することなく、コンクリート版２を設置するために床材３１や盛土３２を必要な分だけ除去するだけで固定される。そのため、本実施形態によれば、簡易にプラットホームドア２０を据え付けることができる。すなわち、コンクリート版２のプラットホーム３０の延在方向の長さは、図３に示すように、プラットホームドア２０の載置に必要となる長さのみである。したがって、盛土式プラットホーム３０を改装して、プラットホーム３０の盛土３２の上面にコンクリート版２を設置する際、プラットホーム３０の延在方向全ての床材３１や盛土３２を除去することなく、必要部分のみを除去すればよいため、プラットホームドア２０の固定にかかる手間やコストを低減できる。
【００４５】
更に、盛土式プラットホームから桁式プラットホームへの変更工事や、プラットホーム下の退避スペースへの電気ケーブル等の敷設工事が不要になるため、線路側からの作業を省略又は低減でき、作業時の安全性が向上する。また、仮設ホームの設置期間を短縮化でき、乗降客の安全も確保しやすくなる。
【００４６】
［第２実施形態］
次に、本発明の第２実施形態に係るプラットホームドア固定構造１について、図６及び図７を参照して説明する。なお、以下では、第１実施形態と異なる構成及び作用について説明し、重複する説明については省略する。
【００４７】
上述した第１実施形態に係るプラットホームドア固定構造１は、コンクリート版２とロックボルト３を備えるが、本実施形態に係るプラットホームドア固定構造１は、ロックボルト３の代わりにコンクリートブロック５１と固定ボルト５２を備え、カウンターウェイト方式でプラットホームドア２０を固定する。これにより、盛土式プラットホーム３０の盛土３２のＮ値が２程度である軟弱な地盤にも、プラットホームドア２０をプラットホーム３０上に安定的に固定できる。
【００４８】
コンクリート版２のうち戸袋部２１が固定される側に対して反対側には、複数本（図５の例では４本）の固定ボルト５２が接続される。固定ボルト５２は、プラットホーム３０の内部に設けられた複数のコンクリートブロック５１を上方に貫通してコンクリート版２と接続される。固定ボルト５２は、コンクリート版２の上面では、例えば座金５４を介してナット５３が締結される。
【００４９】
コンクリートブロック５１は、コンクリート版２の下面側に設置される。コンクリートブロック５１の強度、重量、横断面積や深さ等は、コンクリート版２に作用するモーメントを考慮して決定される。コンクリートブロック５１は、コンクリート版２がプラットホームドア２０に作用する群集横荷重によって線路側に転倒することを防止する。本実施形態の図６及び図７に示す例では、コンクリートブロック５１を２個ずつ３段で積み上げる例を示している。このように、コンクリートブロック５１を複数の部材とすることで、運搬や取付けを容易にし、作業性を向上させることができる。
【００５０】
次に、本実施形態に係るプラットホームドア固定構造１を用いたプラットホームドア２０の設置方法について説明する。
【００５１】
第２実施形態の場合、第１実施形態と異なり、コンクリート版２や、コンクリート版２の下面に敷設する均しコンクリートやモルタルに加えて、コンクリートブロック５１を埋設する部分を考慮して、プラットホーム３０の上面のうちコンクリート版２を設置する部分の床材３１や盛土３２を除去する。次に、プラットホーム３０の床材３１や盛土３２を除去した部分に、コンクリートブロック５１を積み上げて設置する。このとき、コンクリートブロック５１に固定ボルト５２を貫通させておく。そして、均しコンクリートやモルタルを施した後、コンクリート版２の貫通孔に固定ボルト５２を貫通させながら、コンクリート版２を設置する。
【００５２】
その後、コンクリート版２の上面側にて、固定ボルト５２の上端部に、座金５４を通した後、ナット５３を締結する。これにより、固定ボルト５２を介して、コンクリートブロック５１とコンクリート版２とが接続する。次に、既存のプラットホーム３０の上面と新たに設置したコンクリート版２との間の隙間に目地材を施し目地を形成する。以上より、コンクリート版２がプラットホーム３０上で安定的に固定される。
【００５３】
そして、プラットホームドア２０の戸袋部２１をコンクリート版２の上面に設置し、接着系アンカー６等によって、戸袋部２１をコンクリート版２に対して固定する。これにより、プラットホームドア２０の設置が完了する。コンクリート版２は、既存のプラットホーム３０の上面の床材３１や盛土３２が切り欠かれた部分に設置され、既存の床材３１や目地１１によって拘束されるため、コンクリート版２の面内方向の回転が発生しない。
【００５４】
以上、本実施形態によれば、盛土式プラットホーム３０の盛土３２の上面にコンクリート版２が設置される。コンクリート版２は、固定ボルト５２によってコンクリートブロック５１と接続されることによって、プラットホーム３０に対して固定される。プラットホームドア２０は、プラットホーム３０に対して確実に固定されたコンクリート版２に載置されることから、プラットホーム３０上に安定的に据え付けられる。
【００５５】
また、コンクリート版２は、第１実施形態と同様に、プラットホーム３０の盛土３２を大規模に除去することなく、コンクリート版２を設置するために床材３１や盛土３２を必要な分だけ除去するだけで固定される。そのため、本実施形態によれば、簡易にプラットホームドア２０を据え付けることができる。したがって、プラットホームドア２０の固定にかかる手間やコストを低減できる。
【符号の説明】
【００５６】
１  プラットホームドア固定構造
２  コンクリート版（板状部材）
３  ロックボルト（支持部）
４  ボルト部（棒状部材）
５  グラウト
１２  点字タイル
２０  プラットホームドア
２１  戸袋部
２２  扉部
３０  プラットホーム
５１  コンクリートブロック
５２  固定ボルト
【図１】
2014062407.tif 000003
【図２】
2014062407.tif 000004
【図３】
2014062407.tif 000005
【図４】
2014062407.tif 000006
【図５】
2014062407.tif 000007
【図６】
2014062407.tif 000008
【図７】
2014062407.tif 000009